(57)【要約】【課題】  未接続の空き心線を明確に認識することができる空き心線表示治具を得る。【解決手段】  多数の光コネクタアダプタ１０１が配列されているコネクタ接続盤１０２において、未接続の空き心線に接続されている光コネクタアダプタ１０１に空き心線表示治具１０を装着する。空き心線表示治具１０は、光コネクタアダプタ１０１に対して挿脱自在な嵌合部１１と、この嵌合部１１の背面側に一体的に取り付けられている杆状部材１２とを備える。【選択図】  図１
2005258193.tif 000002
【特許請求の範囲】
【請求項１】
多数の光コネクタアダプタが配列されたコネクタ接続盤において未接続の空き心線を表示するため、前記光コネクタアダプタに対し挿脱自在に形成された嵌合部と、この嵌合部の背面より把持可能に突出した杆状部材とを備えることを特徴とする空き心線表示治具。
【請求項２】
前記嵌合部が、コネクタキャップであることを特徴とする請求項１に記載の空き心線表示治具。
【請求項３】
前記杆状部材に、他の杆状部材との識別を行わせる識別手段が装備されていることを特徴とする請求項１または２に記載の空き心線表示治具。
【請求項４】
前記識別手段が表示タグであることを特徴とする請求項３に記載の空き心線表示治具。
【発明の詳細な説明】
【技術分野】
【０００１】
本発明は空き心線表示治具に係り、例えば多数の光コネクタアダプタが配列されているコネクタ接続盤において、未接続の空き心線が接続されている光コネクタアダプタを表示することができる空き心線表示治具に関する。
【背景技術】
【０００２】
従来より、例えばビルや集合住宅においては、幹線光ケーブルから引き込まれた光ファイバは、図４に示すような光配線盤１００に接続されて、光配線盤１００から各ユーザに配線接続される（例えば、特許文献１参照）。
図４に示すように、光配線盤１００は、コネクタ接続盤１０２、保留盤１０３、端部に光コネクタプラグ１０４を装着した光ファイバコード１０５、光配線盤１００に光ファイバコード１０５を引き込むための収容部１０６、コネクタ接続盤１０２と保留盤１０３との間に設置された整列盤１０７等を有している。
【０００３】
コネクタ接続盤１０２は、光コネクタプラグ１０４同士を接続するための光コネクタアダプタ１０１を多数配列している。保留盤１０３は、光コネクタプラグ１０４を係止する不図示の係止部を複数個備え、収容部１０６から引き込まれた光ファイバコード１０５のうち未接続の光ファイバコード１０５を保留する。整列盤１０７は、不図示の整列部材を複数個鉛直方向に並べて構成されている。
【０００４】
【特許文献１】特開２００１−５７６８３号公報（図１）
【発明の開示】
【発明が解決しようとする課題】
【０００５】
ところで、保留盤１０３に保留されている未接続の光ファイバコード１０５の接続先を割り当てたり、各ユーザ側のコネクタプラグを保留盤１０３に保留されているどの未接続の光ファイバコード１０５に接続するか予約したりする場合がある。このような場合、接続先の光コネクタアダプタ１０１が収納された架台の枠１０８や光コネクタアダプタ１０１に対し、接続先を特定するための表示が行われている。
【０００６】
しかしながら、記載するスペースが狭いため、必要なデータを全て記載できないことがある。また、目立たないために見難かったり、識別が困難となって探す手間を要したり、さらには誤挿入をするなど接続作業性に課題を残した。
【０００７】
本発明の目的は、未接続の空き心線を明確に認識できる空き心線表示治具を提供することにある。
【課題を解決するための手段】
【０００８】
上記目的を達成するために、本発明に係る請求項１記載の空き心線表示治具は、多数の光コネクタアダプタが配列されたコネクタ接続盤において未接続の空き心線を表示するため、前記光コネクタアダプタに対し挿脱自在に形成された嵌合部と、この嵌合部の背面より把持可能に突出した杆状部材とを備えることを特徴とする。
【０００９】
このように構成された空き心線表示治具においては、未接続の空き心線である光コネクタアダプタに空き心線表示治具を装着して、空き心線を表示する。
空き心線表示治具は、嵌合部を光コネクタアダプタに嵌め込むと杆状部材が外方へ突出した形態を採るので、未接続の空き心線の位置を容易に認識することができる。
【００１０】
本発明に係る請求項２記載の空き心線表示治具は、請求項１記載の空き心線表示治具において、前記嵌合部が、コネクタキャップであることを特徴とする。
【００１１】
本発明に係る請求項３記載の空き心線表示治具は、請求項１または２記載の空き心線表示治具において、前記杆状部材に、他の杆状部材との識別を行わせる識別手段が装備されていることを特徴とする。
【００１２】
このように構成された空き心線表示治具においては、杆状部材に識別手段が設けられているので、他の空き心線表示治具との識別が明瞭にできて、容易に特定治具を認識できる。
【００１３】
本発明に係る請求項４記載の空き心線表示治具は、請求項３記載の空き心線表示治具において、前記識別手段が表示タグであることを特徴とする。
【００１４】
このように構成された空き心線表示治具においては、表示タグを装着することによって、空き心線に関する情報を得ることができる。
【発明の効果】
【００１５】
本発明の空き心線表示治具によれば、嵌合部を光コネクタアダプタに嵌め込むと杆状部材が外方へ突出した形態を採るので、予約している空き心線を容易、且つ明確に認識することができる。
【発明を実施するための最良の形態】
【００１６】
以下、本発明に係る空き心線表示治具の好適な実施の形態を図面に基づいて詳細に説明する。
図１は本発明の空き心線表示治具に係る一実施の形態を示す斜視図、図２は表示タグの一例を示す説明図、図３は本発明に係る空き心線表示治具の使用の様子を示すコネクタ接続盤の斜視図である。
なお、従来技術において先に述べたコネクタ接続盤については、同じ符号を付して説明は省略する。
【００１７】
本発明に係る空き心線表示治具１０は、図３に示すように、多数の光コネクタアダプタ１０１が配列されたコネクタ接続盤１０２において、未接続の空き心線の光コネクタアダプタ１０１に嵌合して、該当の予約回線を表示することにより、容易に認識できるようにするものである。
【００１８】
空き心線表示治具１０は、図１に示すように、未接続の空き心線となる光コネクタアダプタ１０１に対し挿脱自在に形成された嵌合部１１と、この嵌合部１１の背面１１ａよりアダプタ外方に把持可能に一体的に突出した杆状部材１２とを備える構成で、杆状部材１２には、後述する識別手段１３が装備される。
【００１９】
嵌合部１１は、光コネクタアダプタ１０１の開口部を塞ぐコネクタキャップとすることができる。
【００２０】
識別手段１３は、多数の空き心線表示治具が用いられた場合に、特定治具と他の治具との識別を容易にするためのもので、図１に示すような紐１３ａ等で杆状部材１２に結びつけられる表示タグ１３などとすることができる。
【００２１】
表示タグ１３は、図２に示すように、例えば、ユーザ名、ＩＤ番号、線番、構内線番、実施月日、施工会社等の種々の情報を記録しておくことができる。
また、表示タグ１３は色彩を代えて、識別性の向上を図ることもできる。
さらに、上記のタグ情報をバーコードとして記載することもできる。
【００２２】
以上、本実施の形態の空き心線表示治具１０によれば、光コネクタアダプタ１０１に差し込んだ空き心線表示治具１０は杆状部材１２が嵌合部１１の背面１１ａより突出しているので、未接続の空き心線位置を容易に認識できる。そして、空き心線の位置が特定されたら、例えば、不図示のユーザ側の光コネクタをこの空き心線位置に係合して、誤接続の発生を解消することができる。
嵌合部１１は既存のコネクタキャップの形態を採っているので、光コネクタアダプタ１０１に直接装着することができる。
また、杆状部材１２には識別手段が設けられるので、多数の空き心線表示治具１０が装着されていても、他の空き心線表示治具と特定治具との識別を容易にすることができる。
【００２３】
なお、本発明の空き心線表示治具は、前述した実施の形態に限定されるものでなく、適宜な変形，改良等が可能である。
【図面の簡単な説明】
【００２４】
【図１】本発明に係る空き心線表示治具の実施の形態を示す斜視図である。
【図２】識別手段の一例としての表示タグを示す図である。
【図３】本発明に係る空き心線表示治具の使用状態を示す斜視図である。
【図４】従来の光配線盤の内部構造を示す斜視図である。
【符号の説明】
【００２５】
１０  空き心線表示治具
１１  嵌合部
１１ａ  背面
１２  杆状部材
１３  表示タグ（識別手段）
１０１  光コネクタアダプタ
１０２  コネクタ接続盤
【図１】
2005258193.tif 000003
【図２】
2005258193.tif 000004
【図３】
2005258193.tif 000005
【図４】
2005258193.tif 000006